(57)【要約】【課題】組立て性が良好で施工性の向上を図った耐火構造体Ｅの貫通孔用閉止冶具及びその耐火構造体の貫通孔閉止方法を提供する点にある。【解決手段】耐火構造体Ｅの貫通孔Ｂに挿通される長尺体配設用のラックＣの外周と前記耐火構造体Ｅにおける貫通孔Ｂの開口周縁との間を前記耐火構造体Ｅの外面Ｅ１に当て付けた状態で閉止可能な環状の化粧板１と、この化粧板１を前記ラックＣの左右一対の側板Ｃ１，Ｃ１に取付ける左右一対の取付け具２を備える耐火構造体Ｅの貫通孔用閉止冶具Ａであって、化粧板１が、ラックＣの左右一対の側板Ｃ１，Ｃ１の外方側位置に分割端面が位置する複数の分割化粧板体１Ａ，１Ｂから構成され、取付け具２が、分割化粧板体の分割端面１Ａａ，１Ｂａにわたって止付け可能な取付け部３と、ラックＣの両側板に掛止可能な掛止部４とから構成されている。【選択図】図１
2008240272.tif 000002
【特許請求の範囲】
【請求項１】
耐火構造体の貫通孔に挿通される長尺体配設用のラックの外周と前記耐火構造体における貫通孔の開口周縁との間を前記耐火構造体の外面に当て付けた状態で閉止可能な環状の化粧板と、この化粧板を前記ラックの左右一対の側板に取付ける左右一対の取付け具を備える耐火構造体の貫通孔用閉止冶具であって、
前記化粧板が、前記ラックの左右一対の側板の外方側位置に分割端面が位置する複数の分割化粧板体から構成され、
前記取付け具が、分割化粧板体の分割端面にわたって止付け可能な取付け部と、前記ラックの両側板に掛止可能な掛止部とから構成されている耐火構造体の貫通孔用閉止冶具。
【請求項２】
前記取付け具の掛止部には、掛止状態で側板に固定する固定手段が設けられている請求項１記載の耐火構造体の貫通孔用閉止冶具。
【請求項３】
前記取付け具の取付け部と掛止部が一枚の板金の折り曲げ加工により一体形成されている請求項１又は２記載の耐火構造体の貫通孔用閉止冶具。
【請求項４】
前記取付け具の掛止部が、前記ラックの側板の幅方向一端に対して幅方向外方から嵌合する嵌合板部と、前記ラックの側板の幅方向他端部に対面する底板部と、これら両者を一体連結する連結板部から構成されている請求項１〜３のいずれか１項に記載の耐火構造体の貫通孔用閉止冶具。
【請求項５】
前記嵌合板部の先端と前記底板部の先端との対向間隔が、前記ラックの側板の幅よりも大に構成されている請求項４記載の耐火構造体の貫通孔用閉止冶具。
【請求項６】
前記固定手段が、前記取付け具の底板部に螺合された固定ネジから構成されている請求項４又は５記載の耐火構造体の貫通孔用閉止冶具。
【請求項７】
前記取付け具の取付け部と掛止部との折り曲げ箇所には、その折り曲げ箇所にそって貫通孔が形成されている請求項２記載の耐火構造体の貫通孔用閉止冶具。
【請求項８】
前記化粧板が、前記ラックの左右一対の側板の幅方向両端側に配置される長尺の分割化粧板体と、左右一対の側板の外方に配置される短尺の分割化粧板体とから構成されている請求項１〜６のいずれか１項に記載の耐火構造体の貫通孔用閉止冶具。
【請求項９】
耐火構造体の貫通孔に挿通された長尺体配設用のラックの外周と前記貫通孔の開口縁との間を、前記貫通孔よりも大きな環状の化粧板で閉止する耐火構造体の貫通孔用閉止方法であって、
前記化粧板を、前記ラックの左右一対の側板の外方側位置に分割端面が位置する複数の分割化粧板体に予め分割構成するとともに、この分割化粧板体の分割端面にわたって当て付け可能な取付け板部と前記ラックの側板に掛止保持可能な掛止板部とを備えた左右一対の取付け具を準備し、前記ラックの両側板に取付け具の掛止板部を掛止保持させたのち、前記取付け具の取付け板部に、各分割化粧板体の分割端面を止め付けることを特徴とする耐火構造体の貫通孔閉止方法。
【請求項１０】
耐火構造体に形成された水平方向又は略水平方向の貫通孔に挿通された長尺体配設用のラックの外周と前記貫通孔の開口縁との間を、前記貫通孔よりも大きな環状の化粧板で閉止する耐火構造体の貫通孔閉止方法であって、
前記化粧板を、前記ラックの左右一対の側板の外方側位置に分割端面が位置する複数の分割化粧板体に予め分割構成するとともに、この分割化粧板体の分割端面にわたって当て付け可能な取付け部と前記ラックの側板に掛止保持可能な掛止部とを備えた左右一対の取付け具を準備し、前記ラックの両側板に取付け具の掛止部を掛止保持させたのち、前記取付け具の取付け部に、下層に位置する分割化粧板体から順番に、且つ、上層の分割化粧板体を下層の分割化粧板体に載置した状態で各分割化粧板体の分割端面を止め付けることを特徴とする耐火構造体の貫通孔閉止方法。
【発明の詳細な説明】
【技術分野】
【０００１】
本発明は、耐火構造体の貫通孔に挿通される長尺体配設用のラックの外周と前記貫通孔の開口周縁との間を前記耐火構造体の外面に当て付けた状態で閉止可能な環状の化粧板を備える耐火構造体の貫通孔用閉止冶具及びその耐火構造体の貫通孔閉止方法に関する。
【背景技術】
【０００２】
一般に、耐火構造体の貫通孔とこれに挿通される長尺体配設用のラックとの間には耐熱性充填材Ｇが充填されて閉塞され、法規時間の範囲で火災に耐えられるように耐火構造体の防火区画がなされているが、外見上には、耐熱充填材がむき出した露出状態にあるため美観の低下を生じるものであった。
従来においては、耐火構造体の貫通孔用閉止冶具を用いて、耐火構造体の貫通孔に挿通される長尺体配設用のラックの外周と前記貫通孔の開口周縁との間を前記耐火構造体の外面に環状の化粧板を当て付けた状態で閉止することが行われている。
一例としては、ラックの外周形状に合致する切欠が形成されたコの字状の分割化粧板体を、左右方向から切欠に挿入するようにラック装着して、突き合わされた分割化粧板体の端部を上下方向から突き合わせ部を中央にしてクリップ冶具で挟み込んだのち、ネジ止めすることにより両分割化粧板体を一体化して環状の化粧板を形成する。この状態で、化粧板が、耐火構造体の貫通孔に挿通される長尺体配設用のラックの外周と前記貫通孔の開口周縁との間と対面状態となる。
そして、このクリップ冶具で一体化された化粧板を、ラックを構成する左右対称に対向配置されている側板に取付け可能な取付け部と化粧板にネジ止め可能な取付け具を用いて、耐火構造体の貫通孔に挿通される長尺体配設用のラックの外周と前記貫通孔の開口周縁との間を前記耐火構造体の外面に環状の化粧板を当て付けた状態で閉止することが行われている。
前記取付け具は、分割化粧板体にネジ止め可能な取付け板部と、これと直交して外方に突出形成されている上下の突起を備え側板の外方側に添設可能な補助板部とが一体連結されている第１冶具と、側板に取付け可能で第１冶具の補助板部の上下の突起間に嵌合可能な嵌合受けが設けられた第２冶具とから構成されている（例えば、特許文献１を参照）。
【０００３】
【特許文献１】特開２００５−２８７２０７号公報（第４〜６頁、図１）
【発明の開示】
【発明が解決しようとする課題】
【０００４】
しかしながら、この従来の耐火構造体の貫通孔用閉止冶具は、分割化粧板体同士の突き合せ部にクリップ冶具を介して左右の分割化粧板体にネジ止めし、ラックの側板に第１冶具と第２冶具を組付けて取付け状態にするとともに、第１冶具の当て板を分割化粧板体にネジ止めすると言った、組付けが異なる冶具が用いられている点や、冶具同士の組み立てが必要な冶具が用いられている点で、組立て性が悪く施工手間を要する問題がある。
【０００５】
本発明は上記の事情に鑑みてなされたものであり、その目的とするところは、組立て性が良好であり施工性の向上を図った耐火構造体の貫通孔用閉止冶具及びその耐火構造体の貫通孔閉止方法を提供する点にある。
【課題を解決するための手段】
【０００６】
本発明の第１番目の耐火構造体の貫通孔用閉止冶具の特徴構成は、耐火構造体の貫通孔に挿通される長尺体配設用のラックの外周と前記耐火構造体における貫通孔の開口周縁との間を前記耐火構造体の外面に当て付けた状態で閉止可能な環状の化粧板と、この化粧板を前記ラックの左右一対の側板に取付ける左右一対の取付け具を備える耐火構造体の貫通孔用閉止冶具であって、前記化粧板が、前記ラックの左右一対の側板の外方側位置に分割端面が位置する複数の分割化粧板体から構成され、前記取付け具が、分割化粧板体の分割端面にわたって止付け可能な取付け部と、前記ラックの両側板に掛止可能な掛止部とから構成されている点にある。
【０００７】
このような構成によれば、左右の側板の夫々に取付け具の掛止部を掛止めるとともに、複数の分割化粧板を側板の外方側位置に分割端面が位置した状態で取付け部に止付けて環状の化粧板を形成することによって、前記ラックの左右一対の側板に化粧板が取付けられた状態となり、この状態から前記耐火構造体の外面に該化粧板体を当て付けることによって、耐火構造体の貫通孔に挿通される長尺体配設用のラックの外周と前記貫通孔の開口周縁との間を環状の化粧板によって閉止することができる。
【０００８】
従って、従来の耐火構造体の貫通孔用閉止冶具のように、分割化粧板を化粧板に形成するクリップ冶具と、左右一対の側板に化粧板を取り付けるための第１冶具と第２冶具からなる組立て構造の取付け具を必要とする構成に比べて、化粧板を前記ラックの左右一対の側板に取付ける左右一対の取付け具だけでよいので、貫通孔用閉止冶具の構成が簡単であるとともに、組立て性が良好であり施工性の向上を図ることができる。
【０００９】
本発明の第２番目の耐火構造体の貫通孔用閉止冶具の特徴構成は、前記取付け具の掛止部には、掛止状態で側板に固定する固定手段が設けられている点にある。
【００１０】
このような構成によれば、取付け具を側板に固定することによって、環状の化粧板が耐火構造体の外面に当て付けられた閉止状態を維持することができる。
従って、唯単に側板に掛止部が掛止められた化粧板に比べて、不測に化粧板が耐火構造体の外面から離れることがないので、化粧板の閉止品質の向上を図ることができる。
【００１１】
本発明の第３番目の耐火構造体の貫通孔用閉止冶具の特徴構成は、前記取付け具の取付け部と掛止部が一枚の板金の折り曲げ加工により一体形成されている点にある。
【００１２】
このような構成によれば、取付け部と掛止部といった機能の異なる構造を一つの部材に形成することができる。
【００１３】
従って、一つの部材に複数の機能を持たせながら、板金といった簡単な加工によって取付け具を製作することができるので製作性がよい。
【００１４】
本発明の第４番目の耐火構造体の貫通孔用閉止冶具の特徴構成は、前記取付け具の掛止部が、前記ラックの側板の幅方向一端に対して幅方向外方から嵌合する嵌合板部と、前記ラックの側板の幅方向他端部に対面する底板部と、これら両者を一体連結する連結板部から構成されている点にある。
【００１５】
このような構成によれば、必要最小限の部材構成によって側板に嵌合板部を嵌合させることにより、側板に掛止部を掛止めることができる。
【００１６】
従って、側板に対して掛止部の掛止操作が簡単であるので、施工性の向上を図ることができる。
【００１７】
本発明の第５番目の耐火構造体の貫通孔用閉止冶具の特徴構成は、前記嵌合板部の先端と前記底板部の先端との対向間隔が、前記ラックの側板の幅よりも大に構成されている点にある。
【００１８】
このような構成によれば、ラックの側板に掛止部の嵌合板部を容易に嵌合することができる。
また、嵌合板部の先端と前記底板部の先端との対向間隔が、幅が最大の側板の幅よりも大に構成されている場合、その最大幅より小幅の側板においても嵌合板部を嵌合状態にすることができる。
【００１９】
従って、側板への掛止操作を容易に行うことができる。
また、幅の大きさが異なる側板に対しても掛止めることができる汎用性を有しているので、使い勝手がよい。
【００２０】
本発明の第６番目の耐火構造体の貫通孔用閉止冶具の特徴構成は、前記固定手段が、前記取付け具の底板部に螺合された固定ネジから構成されている点にある。
【００２１】
このような構成によれば、ラックの側板の幅方向一端部に嵌合板部が嵌合する状態で固定ネジを螺合することによって、底板と対面する前記側板の幅方向他端部にネジ先端が圧接状態となる結果、ラックの側板に嵌合部と固定ネジによって挟み付けて取付け具を側板に固定することができる。
【００２２】
従って、ネジ固定と言った簡単な固定構造によって取付け具を側板に固定することができるので、取扱い性や取付け作業性がよい。
【００２３】
本発明の第７番目の耐火構造体の貫通孔用閉止冶具の特徴構成は、前記取付け具の取付け部と掛止部との折り曲げ箇所には、その折り曲げ箇所にそって貫通孔が形成されている点にある。
【００２４】
このような構成によれば、折り曲げ箇所にそって貫通孔が形成され折り曲げやすいので、取付け部と掛止部の折り曲げ角度を容易に変更することができる。
また、貫通孔に挿通されているラックの側板と化粧板とのなす角度に合わせて、取付け部と掛止部との折り曲げ角度を変更して使用することができる。
具体的には、取付け部と掛止部との折り曲げ角度は略９０度に製作され、貫通孔に挿通されているラックの側板と化粧板とのなす角度が９０度以内又は９０度以上である場合には、その角度に取付け部と掛止部との折り曲げ角度を合わせて変更することができる。
【００２５】
従って、施工現場における貫通孔に対するラックの挿通状態に合わせて、貫通孔用閉止冶具を取付けることができるので、現場対応性がよく使い勝手がよい。
【００２６】
本発明の第８番目の耐火構造体の貫通孔用閉止冶具の特徴構成は、前記化粧板が、前記ラックの左右一対の側板の幅方向両端側に配置される長尺の分割化粧板体と、左右一対の側板の外方に配置される短尺の分割化粧板体とから構成されている点にある。
【００２７】
このような構成によれば、一対の長尺の分割化粧板体と一対の短尺の分割化粧板体といった加工性の少ない簡単な構造の分割化粧板体によって化粧板を形成することができる。
【００２８】
従って、大きさを共通化した分割化粧板体を夫々一対用いることができるので、分割化粧板の製作が容易であるとともに、分割化粧板体が共通化されているので、取扱いに間違いを生じ難く使い勝手がよい。
【００２９】
本発明の第９番目の耐火構造体の貫通孔閉止方法の特徴構成は、耐火構造体の貫通孔に挿通された長尺体配設用のラックの外周と前記貫通孔の開口縁との間を、前記貫通孔よりも大きな環状の化粧板で閉止する耐火構造体の貫通孔用閉止方法であって、
前記化粧板を、前記ラックの左右一対の側板の外方側位置に分割端面が位置する複数の分割化粧板体に予め分割構成するとともに、この分割化粧板体の分割端面にわたって当て付け可能な取付け板部と前記ラックの側板に掛止保持可能な掛止板部とを備えた左右一対の取付け具を準備し、前記ラックの両側板に取付け具の掛止板部を掛止保持させたのち、前記取付け具の取付け板部に、各分割化粧板体の分割端面を止め付けることを特徴とする点にある。
【００３０】
このような構成によれば、一対の取付け具によってラックへの掛止保持と化粧板を形成する複数の分割化粧板体を一纏めに止付けて、化粧板をラックの左右一対の側板に取付けることによって、耐火構造体の貫通孔に挿通された長尺体配設用のラックの外周と前記貫通孔の開口縁との間を閉止することができる。
【００３１】
従って、耐火構造体の貫通孔に挿通される長尺体配設用のラックの外周と前記貫通孔の開口周縁との間を環状の化粧板によって簡単に閉止することができる。
【００３２】
本発明の第１０番目の耐火構造体の貫通孔閉止方法の特徴構成は、耐火構造体に形成された水平方向又は略水平方向の貫通孔に挿通された長尺体配設用のラックの外周と前記貫通孔の開口縁との間を、前記貫通孔よりも大きな環状の化粧板で閉止する耐火構造体の貫通孔閉止方法であって、
前記化粧板を、前記ラックの左右一対の側板の外方側位置に分割端面が位置する複数の分割化粧板体に予め分割構成するとともに、この分割化粧板体の分割端面にわたって当て付け可能な取付け部と前記ラックの側板に掛止保持可能な掛止部とを備えた左右一対の取付け具を準備し、前記ラックの両側板に取付け具の掛止部を掛止保持させたのち、前記取付け具の取付け部に、下層に位置する分割化粧板体から順番に、且つ、上層の分割化粧板体を下層の分割化粧板体に載置した状態で各分割化粧板体の分割端面を止め付けることを特徴とする点にある。
【００３３】
このような構成によれば、複数の分割化粧板体を手順良く取付け具の取付け部に止め付けることができながら、この止め付け状態で、化粧板をラックの左右一対の側板に取付けることができる。
【００３４】
従って、耐火構造体に形成された水平方向又は略水平方向の貫通孔に挿通された長尺体配設用のラックの外周と前記貫通孔の開口縁との間を、施工性良く化粧板で閉止することができる。
【発明を実施するための最良の形態】
【００３５】
以下、本発明の耐火構造体Ｅの貫通孔用閉止冶具Ａ及びその耐火構造体Ｅの貫通孔Ｂ閉止方法の実施例を図面に基づいて説明する。
【００３６】
〔実施形態〕
この実施形態の貫通孔用閉止冶具Ａは、図１〜図３に示すように、壁から構成されている耐火構造体Ｅに形成された水平方向又は略水平方向の貫通孔Ｂに挿通される長尺体配設用のラックＣの外周との間を、壁の外面Ｅ１に当て付けた状態で閉止可能な貫通孔Ｂよりも大きな環状の化粧板１と、この化粧板１を前記ラックＣの左右一対の側板Ｃ１，Ｃ１に取付ける左右一対の取付け具２を備える。
【００３７】
矩形状の内周面Ｅ１ａとこれに挿通される長尺体配設用のラックＣとの間の環状の隙間Ｓには、例えば、充填材支持金具（図示せずによって耐熱性充填材Ｇが充填支持されている。
【００３８】
この実施形態における長尺体配設用のラックＣは、長尺体Ｄである、例えば、多数の電線ケーブルが担架された架台であり、このラックＣは、対称配置された左右一対の側板Ｃ１，Ｃ１と、これら側板Ｃ１，Ｃ１間を連結し長尺体Ｄが載置される桟Ｃ２とから形成されている。
【００３９】
前記化粧板１は、例えば、ケイ酸カルシウムからなり前記ラックＣの左右一対の側板Ｃ１，Ｃ１の外方側位置に分割端面１Ａａ，１Ｂａが位置する複数の分割化粧板体１Ａ，１Ｂから構成されている。
【００４０】
すなわち、化粧板１は、長尺で長方形形状の一対の分割化粧板体１Ａ，１Ａと、短尺で方形形状の一対の分割化粧板体１Ｂ，１Ｂとから構成され、長尺の分割化粧板体１Ａ，１ＡはラックＣの左右一対の側板Ｃ１，Ｃ１の幅方向両端側に配置して使用され、短尺の分割化粧板体１Ｂは左右一対の側板Ｃ１，Ｃ１の外方に配置して使用される。
【００４１】
左右一対の取付け具２，２は、図４に示すように、対称形状に形成され、分割化粧板体１Ａ，１Ｂの分割端面１Ａａ，１Ｂａにわたって止付け可能な長方形板状の取付け部３と、前記ラックＣの両側板に掛止可能な掛止部４とから構成されている。
【００４２】
前記取付け具２の取付け部３と掛止部４は、一枚の板金の折り曲げ加工により一体形成され、取付け部３と掛止部４とは略９０度に折り曲げられて製作されており、この取付け部３と掛止部４との折り曲げ箇所５には、その折り曲げ箇所５にそって長孔状の一対の貫通孔５ａ，５ａが形成され折り曲げ箇所５が脆弱部となり、図１３に示すように、取付け部３と掛止部４との折り曲げ角度θの変更操作を容易に行えるようになっている。
【００４３】
取付け部３には、板長手方向に沿って３つのネジ挿通孔３ａが穿孔されており、分割端面１Ａａ，１Ｂａにわたって複数の分割化粧板体１Ａ，１Ｂをタッピングネジａによりネジ止で止付け可能になっている。また、掛止部４の長手方向中央位置には、塗装の際の吊下げ具に吊下げるための孔４ａが幅方向に一対形成されている。
【００４４】
記取付け具２の掛止部４は、ラックＣの側板Ｃ１の幅方向一端Ｃ１ａに対して幅方向外方から嵌合する嵌合板部４Ａと、ラックＣの側板Ｃ１の幅方向他端部Ｃ１ｂに対面する底板部４Ｂと、これら両者４Ａ，４Ｂを一体連結する連結板部４Ｃから構成されている。
【００４５】
この掛止部４において、嵌合板部４Ａの先端４Ａａと底板部４Ｂの先端４Ｂａとの対向間隔が、前記ラックＣの側板Ｃ１の幅よりも大に構成され、嵌合板部４Ａを側板Ｃ１の幅方向一端Ｃ１ａに嵌合状態にすることができる。
【００４６】
このことは、嵌合板部４Ａの先端４Ａａと底板部４Ｂの先端４Ｂａとの対向間隔Ｌを、大きさの異なるラックＣの中で側板の最大の幅よりも大に構成することにより、最大幅より幅が小さい側板Ｃ１の幅方向一端Ｃ１ａに嵌合可能に構成することができるので、幅が異なる側板に対応して取付け具２が掛止め可能となる。
【００４７】
掛止部４には、掛止状態で側板Ｃ１に固定する固定手段Ｈが設けられている。
この実施形態における固定手段Ｈは、図２〜図４に示すように、取付け具２の底板部４に形成された雌ネジ４Ｄに螺合され掛止部４に向け螺入可能な固定ネジ６から構成されている。この固定ネジ６の雄ネジ部６ａの長さは、幅が最小の側板Ｃ１を嵌合板部４Ａに向けて押付け可能な長さに設定され、複数の幅の側板に対応することができる。
【００４８】
このような構成であれば、左右の側板Ｃ１，Ｃ１の夫々に取付け具２の掛止部４を掛止めるとともに、複数の分割化粧板１Ａ，１Ｂを側板１Ｃ，１Ｃの外方側位置に分割端面１Ａａ，１Ｂａが位置した状態で取付け部３に止付けて環状の化粧板１を形成することによって、ラックＣの左右一対の側板Ｃ１，Ｃ１に化粧板１が取付けられた状態となり、この状態から耐火構造体Ｅの外面Ｅ１に該化粧板１を当て付けることによって、耐火構造体Ｅの貫通孔Ｂに挿通される長尺体配設用のラックＣの外周と前記貫通孔Ｂの開口周縁との間を環状の化粧板１によって閉止することができる。
【００４９】
ここで、貫通孔に挿通されるラックと耐火構造体の外面となす貫通角度が直角である場合は、取付け具をそのまま使用するが、ラックと耐火構造体の外面となす貫通角度が左右に傾いている場合、その傾きに合わせて取付け部３と掛止部４との折り曲げ角度θを変更して対応することができる。
【００５０】
次に、貫通孔用閉止冶具Ａを用いて、耐火構造体Ｅの貫通孔Ｂに挿通された長尺体配設用のラックＣの外周と前記貫通孔Ｂの開口縁との間を、前記貫通孔Ｂよりも大きな環状の化粧板１で閉止する耐火構造体Ｅの貫通孔Ｂ用閉止方法を説明する。
【００５１】
この実施形態の貫通孔Ｂ用閉止方法は、化粧板１を、ラックＣの左右一対の側板Ｃ１，Ｃ１の外方側位置に分割端面が位置する複数の分割化粧板体１Ａ，１Ｂに予め上下３層に分割構成するとともに、この分割化粧板体の分割端面１Ａａ，１Ｂａにわたって当て付け可能な取付け部３とラックＣの側板に掛止保持可能な掛止部４とを備えた左右一対の取付け具２を準備し、前記ラックＣの両側板に取付け具２の掛止部４を掛止保持させたのち、前記取付け具２の取付け部３に、下層に位置する分割化粧板体１Ａを止め付け、これより上側の中層や上層の分割化粧板体１Ｂ，１Ａを下側に位置する分割化粧板体１Ａ，１Ｂに載置した状態で取付け部３に止め付けることにより、複数の分割化粧板体１Ａ，１Ｂの分割端面１Ａａ，１Ｂａにわたって取付け部３が止付けられた状態となる。
【００５２】
具体的には、図５に示すように、貫通孔Ｂとこれに挿通される長尺体配設用のラックＣとの間の環状空間に耐熱性充填材Ｇが充填された状態にある。そして、図６、図９に示すように、ラックＣの貫通孔Ｂから突出する左右一対の側板Ｃ１，Ｃ１位置に、夫々取付け具２を掛止め状態にする。
【００５３】
次に、図６、図１０に示すように、側板Ｃ１の幅方向他端側Ｃ１ｂ、つまり、側板の下端側に最下層を形成する長尺の分割化粧板体１Ａを、左右一対の側板Ｃ１，Ｃ１の下端に上端を当て付けた状態にするとともに、図６、左右一対の側板Ｃ１，Ｃ１の対向中心に左右方向の板中心が位置するように、耐火構造体Ｅの外面Ｅ１に下層の分割化粧板部１Ａを当て付けながら取付け部３で挟み付ける。
【００５４】
次に、掛止部４の固定手段Ｈである固定ネジ６をねじ込んで側板Ｃ１に取付け具２を固定する。この状態で、下層の分割化粧板部１Ａを取付け部３にネジ止めする。このネジ止めに使用するタッピングネジは分割化粧板体１Ａ，１Ｂの板厚さ程度の長さのものが用いられる。
【００５５】
次に、図７、図１１に示すように、下層の分割化粧板体１Ａが止め付けられている部分を除く取付け部３部分と対面する耐熱性充填材ｇ、及び、耐火構造体Ｅの外面Ｅ１との間の隙間は、下層の分割化粧板体１Ａの厚さに相当する状態にあるので、左右一対の側板Ｃ１，Ｃ１の外方側に夫々に中層をなす短尺の分割化粧板体１Ｂを下層の分割化粧板体１Ａに載置する。この状態で、中層をなす短尺の分割化粧板体１Ｂを取付け部３にネジ止めする。
【００５６】
次に、図２、図８、図１２に示すように、左右一対の側板Ｃ１，Ｃ１の幅方向一端１Ａａ、つまり、幅方向上端と、中層をなす短尺の分割化粧板体１Ｂの上端とに、上層をなす長尺の分割化粧板体１Ａの下端を当て付けた状態で載置するとともに、左右一対の側板Ｃ１，Ｃ１の対向中心に左右方向の板中心を位置させた状態に載置する。この状態で、上層をなす長尺の分割化粧板体１Ａを取付け部３にネジ止めする。
【００５７】
このようにして、耐火構造体Ｅの貫通孔Ｂに挿通される長尺体配設用のラックＣの外周と前記貫通孔Ｂの開口周縁との間を環状の化粧板１によって閉止することができる。
【００５８】
［別実施形態］
１）上記実施形態において、長尺で長方形形状の一対の分割化粧板体１Ａ，１Ａと、短尺で方形形状の一対の分割化粧板体１Ｂ，１Ｂを上下３層に載置することによって環状の化粧板１が形成されるものについて説明したが、本発明はこれに限らず、例えば、図１５に示すように、長尺の分割化粧板体の両端部に短尺の分割化粧板体が一体形成された上向き凹状の下層の分割化粧板体１Ｃに、長尺で上層の分割化粧板体１Ｄを載置することによって、上下２層の分割化粧板体１Ｃ，１Ｄから環状の化粧板１を形成するものであってもよい。この場合、分割化粧板体の部品点数を少なくすることができる。
【００５９】
また、図示しないが、下層の長尺の分割化粧板体１Ａに、長尺の分割化粧板体の両端部に短尺の分割化粧板体が一体形成された下向き凹状で上層の分割化粧板体から環状の化粧板１を載置することによって、上下２層の分割化粧板体１Ｃ，１Ｄから環状の化粧板１を形成するものであってもよい。
【００６０】
２)  上記実施形態では、固定手段Ｈが、前記取付け具２の底板部４Ｂに螺合された固定ネジ６から構成されている例を説明したが、本発明はこれに限らず、図１４に示すように、連結板部４Ｃに片持ち状に回動自在に軸支されたカム体７から構成されているものであってもよい。
この場合、カム体７を軸に一体連連結されているノブ８を手作業で回すことによって嵌合板部４Ａに嵌合された側板Ｃ１の幅方向下端Ｃ１ｂを嵌合板部４Ａに向けてカム面７ａを押圧して嵌合板部との間に側板を挟み付けて、側板Ｃ１に掛止部４が固定状態になるものであってもよい。
また、側板の幅の大きさに合わせてカム体７の軸部を案内且つノブ操作可能に複数の溝９を形成するものであってもよい。
【００６１】
３）上記各実施形態において、取付け具２の掛止部４において幅寸法が最大の側板が掛止め可能な構成にして、最大幅より小幅の側板Ｃ１が掛止め可能になるものについて説明したが、本発明はこれに限らず、幅寸法が最小の側板を掛止め可能な掛止部に構成されているものであってもよい。
具体的には、嵌合板部の先端と前記底板部の先端との対向間隔が、最小幅の側板より僅かに大きく構成される。
【００６２】
４）上記実施形態では、耐火構造体Ｅが壁である例を説明したが、本発明はこれに限らず、耐火構造体Ｅが床であってもよい。
この場合においても、実施形態と同様に組立て性が良好であり施工性の向上を図ることができる。
【図面の簡単な説明】
【００６３】
【図１】本発明の実施形態の耐火構造体の貫通孔用閉止冶具を耐火構造体の貫通孔に挿通されるラックとの関係を示す簡略分解斜視図
【図２】耐火構造体の貫通孔に挿通される長尺体配設用のラックの外周と前記貫通孔の開口周縁との間を環状の化粧板によって閉止した状態を示す側断面図
【図３】貫通孔用閉止冶具と貫通孔とラックとの閉止状態を示す要部正面図
【図４】左右一対の取付け具を示す斜視図
【図５】貫通孔とこれに挿通される長尺体配設用のラックとの間に耐熱充填材が充填された状態を示す簡略正断面図
【図６】ラックの側板に掛止められた取付け具に下層の化粧板を止め付けた状態を示す簡略正断面図
【図７】ラックの側板に掛止められた取付け具に中層の化粧板を止め付けた状態を示す簡略正断面図
【図８】ラックの側板に掛止められた取付け具に上層の化粧板を止め付けた状態を示す簡略正断面図
【図９】側板に取付け具を掛止めた状態を示す側断面図
【図１０】取付け具の取付け板部と壁の外面との間に下層の化粧板を止め付けた状態を示す側断面図
【図１１】取付け具の取付け板部と壁の外面との間に中層の化粧板を止め付けた状態を示す側断面図
【図１２】取付け具の取付け板部と壁の外面との間に上層の化粧板を止め付けた状態を示す側断面図
【図１３】取付け具の取付け板部と掛止部との折り曲げ関係を一部断面にて示す平断面図
【図１４】別実施形態の固定手段を示す側断面図
【図１５】別実施形態の分割化粧板体を示す正断面図
【符号の説明】
【００６４】
Ａ          貫通孔用閉止冶具
Ｂ          貫通孔
Ｃ          ラック
Ｃ１        側板
Ｃ１ａ      側板の幅方向一端
Ｃ１ｂ      側板の幅方向他端
Ｄ          長尺体
Ｅ          耐熱性充填材
Ｅ１        外面
Ｈ          固定手段
１          化粧板
１Ａ        分割化粧板体
１Ａａ      分割端面
１Ｂ        分割化粧板体
１Ｂａ      分割端面
２          取付け具
３          取付け部
４          掛止部
４Ａ          嵌合板部
４Ａａ        嵌合板部の先端
４Ｂ        底板部
４Ｂａ          底板部の先端
４Ｃ          連結板部
Ｌ          間隔
【図１】
2008240272.tif 000003
【図２】
2008240272.tif 000004
【図３】
2008240272.tif 000005
【図４】
2008240272.tif 000006
【図５】
2008240272.tif 000007
【図６】
2008240272.tif 000008
【図７】
2008240272.tif 000009
【図８】
2008240272.tif 000010
【図９】
2008240272.tif 000011
【図１０】
2008240272.tif 000012
【図１１】
2008240272.tif 000013
【図１２】
2008240272.tif 000014
【図１３】
2008240272.tif 000015
【図１４】
2008240272.tif 000016
【図１５】
2008240272.tif 000017